【手続補正書】
【提出日】平成28年3月4日(2016.3.4)
【手続補正１】
【補正対象書類名】特許請求の範囲
【補正対象項目名】全文
【補正方法】変更
【補正の内容】
【特許請求の範囲】
【請求項１】
前立腺癌に関連付けられたイベントの確率を決定するためのシステムであって、
上記システムは、複数の血液マーカーの情報を受信するように構成された入力インターフェースを備え、上記複数の血液マーカーの情報は、遊離型前立腺特異抗原（ｆＰＳＡ）値及び総ＰＳＡ（ｔＰＳＡ）値を含み、
上記システムは、上記受信された情報を少なくとも部分的に基礎としてロジスティック回帰モデルを評価することで、ある人物の前立腺癌に関連付けられたイベントの確率を決定するようにプログラミングされた少なくとも１つのプロセッサを備え、
上記ロジスティック回帰モデルを評価することは、ｔＰＳＡに関する３次スプライン項を決定することを含み、上記ｔＰＳＡに関する３次スプライン項を決定することは、２〜５の間の第１の内部節点及び５〜８の間の第２の内部節点を有する第１の３次スプラインに基づいて、上記ｔＰＳＡに関する３次スプライン項を決定することを含み、
上記ロジスティック回帰モデルを評価することは、ｆＰＳＡに関する３次スプライン項を決定することを含み、上記ｆＰＳＡに関する３次スプライン項を決定することは、０．２５〜１の間の第３の内部節点及び１．０〜２．０の間の第４の内部節点を有する第２の３次スプラインに基づいて、上記ｆＰＳＡに関する３次スプライン項を決定することを含み、
上記ロジスティック回帰モデルを評価することは、
上記受信されたｔＰＳＡ値と、上記ｔＰＳＡに関する決定された３次スプライン項とを少なくとも部分的に基礎として、ｔＰＳＡの第１の値を決定することと、
上記受信されたｆＰＳＡ値と、上記ｆＰＳＡに関する決定された３次スプライン項とを少なくとも部分的に基礎として、ｆＰＳＡの第２の値を決定することと、
上記第１の値及び上記第２の値を少なくとも部分的に基礎として、上記前立腺癌に関連付けられたイベントの確率を決定することと
を含み、
上記システムは、上記前立腺癌に関連付けられたイベントの確率の表示を出力するように構成された出力インターフェースを備えるシステム。
【請求項２】
上記ｔＰＳＡに関する３次スプライン項は、第１の３次スプライン項及び第２の３次スプライン項を含み、
上記ｆＰＳＡに関する３次スプライン項は、第３の３次スプライン項及び第４の３次スプライン項を含み、
上記第１の値を決定することは、上記受信されたｔＰＳＡ値を第１の係数値によってスケーリングし、上記第１の３次スプライン項を第２の係数値によってスケーリングし、上記第２の３次スプライン項を第３の係数値によってスケーリングすることで、スケーリングされたｔＰＳＡ値を生成することと、上記スケーリングされたｔＰＳＡ値を合計することとを含み、
上記第２の値を決定することは、上記受信されたｆＰＳＡ値を第４の係数値によってスケーリングし、上記第３の３次スプライン項を第５の係数値によってスケーリングし、上記第４の３次スプライン項を第６の係数値によってスケーリングすることで、スケーリングされたｆＰＳＡ値を生成することと、上記スケーリングされたｆＰＳＡ値を合計することとを含む請求項１記載のシステム。
【請求項３】
上記複数の血液マーカーの情報は、未変化ＰＳＡ（ｉＰＳＡ）値及びヒトカリクレイン２（ｈＫ２）値をさらに含み、
上記前立腺癌に関連付けられたイベントの確率を決定することは、さらに、上記ｉＰＳＡ値及び上記ｈＫ２値を少なくとも部分的に基礎とする請求項１記載のシステム。
【請求項４】
上記第１の内部節点は３．８９として指定され、上記第２の内部節点は５．５４として指定され、上記第３の内部節点は０．８１として指定され、上記第４の内部節点は１．１９として指定される請求項１記載のシステム。
【請求項５】
上記入力インターフェースはネットワークインターフェースを備え、上記ネットワークインターフェースは、上記複数の血液マーカーの情報を少なくとも１つのネットワークを介して受信するように構成される請求項１記載のシステム。
【請求項６】
上記入力インターフェースは、患者情報を受信するようにさらに構成され、上記患者情報は年齢情報を含み、
上記前立腺癌に関連付けられたイベントの確率を決定することは、さらに、上記年齢情報を少なくとも部分的に基礎とし、
上記年齢情報を少なくとも部分的に基礎として上記前立腺癌に関連付けられたイベントの確率を決定することは、
上記年齢情報をしきい値と比較することと、
上記年齢情報が上記しきい値を超える場合、第１の係数集合を選択し、上記年齢情報がしきい値未満である場合、第２の係数集合を選択することと
を含み、
上記前立腺癌に関連付けられたイベントの確率を決定することは、さらに、上記選択された第１の係数集合又は第２の係数集合を少なくとも部分的に基礎とする請求項１記載のシステム。
【請求項７】
上記システムは、上記複数の血液マーカーのうちの少なくとも１つの第１の血液マーカーの情報を測定するように構成された検出モジュールをさらに備え、
上記検出モジュールは、上記少なくとも１つの第１の血液マーカーの情報を測定した後、上記入力インターフェースを介して上記少なくとも１つのプロセッサへ上記少なくとも１つの第１の血液マーカーの情報を提供するように構成される請求項１記載のシステム。
【請求項８】
上記入力インターフェースは、上記複数の血液マーカーのうちの少なくとも１つの第２の血液マーカーを、ネットワーク接続されたソースからネットワークを介して受信するように構成される請求項７記載のシステム。
【請求項９】
上記出力インターフェースはディスプレイインターフェースを備え、
上記表示を出力することは、上記確率の数値表示を上記ディスプレイ上に提供することを含む請求項１記載のシステム。
【請求項１０】
上記出力インターフェースはスピーカインターフェースを備え、
上記表示を出力することは、上記確率の可聴表示を上記スピーカを介して提供することを含む請求項１記載のシステム。
【請求項１１】
上記出力インターフェースは少なくとも１つの光源を備え、
上記表示を出力することは、上記少なくとも１つの光源を活性化することを含む請求項１記載のシステム。
【請求項１２】
上記前立腺癌に関連付けられたイベントの確率の表示を出力することは、推定された前立腺容積の表示を出力すること、又は、前立腺癌の生検が陽性になる可能性の表示を出力することを含む請求項１記載のシステム。
【請求項１３】
前立腺癌に関連付けられたイベントの確率を決定するための方法であって、
上記方法は、入力インターフェースを介して複数の血液マーカーの情報を受信することを含み、上記複数の血液マーカーの情報は、遊離型前立腺特異抗原（ｆＰＳＡ）値及び総ＰＳＡ（ｔＰＳＡ）値を含み、
上記方法は、少なくとも１つのプロセッサを用いて、上記受信された情報を少なくとも部分的に基礎としてロジスティック回帰モデルを評価することで、ある人物の前立腺癌に関連付けられたイベントの確率を決定することを含み、
上記ロジスティック回帰モデルを評価することは、ｔＰＳＡに関する３次スプライン項を決定することを含み、上記ｔＰＳＡに関する３次スプライン項を決定することは、２〜５の間の第１の内部節点及び５〜８の間の第２の内部節点を有する第１の３次スプラインに基づいて、上記ｔＰＳＡに関する３次スプライン項を決定することを含み、
上記ロジスティック回帰モデルを評価することは、ｆＰＳＡに関する３次スプライン項を決定することを含み、上記ｆＰＳＡに関する３次スプライン項を決定することは、０．２５〜１の間の第３の内部節点及び１．０〜２．０の間の第４の内部節点を有する第２の３次スプラインに基づいて、上記ｆＰＳＡに関する３次スプライン項を決定することを含み、
上記ロジスティック回帰モデルを評価することは、
上記受信されたｔＰＳＡ値と、上記ｔＰＳＡに関する決定された３次スプライン項とを少なくとも部分的に基礎として、ｔＰＳＡの第１の値を決定することと、
上記受信されたｆＰＳＡ値と、上記ｆＰＳＡに関する決定された３次スプライン項とを少なくとも部分的に基礎として、ｆＰＳＡの第２の値を決定することと、
上記第１の値及び上記第２の値を少なくとも部分的に基礎として、上記前立腺癌に関連付けられたイベントの確率を決定することと
を含み、
上記方法は、上記前立腺癌に関連付けられたイベントの確率の表示を出力することを含む方法。
【請求項１４】
前立腺癌に関連付けられたイベントの確率を決定するためのコンピュータであって、
上記コンピュータは、複数の血液マーカーの情報を受信するように構成された入力インターフェースを備え、上記複数の血液マーカーの情報は、遊離型前立腺特異抗原（ｆＰＳＡ）値、総ＰＳＡ（ｔＰＳＡ）値、未変化ＰＳＡ（ｉＰＳＡ）値、及びヒトカリクレイン２（ｈＫ２）値を含み、
上記コンピュータは、上記受信された情報を少なくとも部分的に基礎としてロジスティック回帰モデルを評価することで、ある人物の前立腺癌に関連付けられたイベントの確率を決定するようにプログラミングされた少なくとも１つのプロセッサを備え、
上記ロジスティック回帰モデルを評価することは、上記ｔＰＳＡ値、上記ｉＰＳＡ値、上記ｈＫ２値、及び上記ｔＰＳＡ値に対する上記ｆＰＳＡ値の比を少なくとも部分的に基礎として、上記前立腺癌に関連付けられたイベントの確率を決定することを含み、
上記コンピュータは、上記前立腺癌に関連付けられたイベントの確率の表示を出力するように構成された出力インターフェースを備えるコンピュータ。
【請求項１５】
上記前立腺癌に関連付けられたイベントの確率を決定することは、
上記ｔＰＳＡ値を第１の係数値によってスケーリングし、上記ｉＰＳＡ値を第２の係数値によってスケーリングし、上記ｈＫ２値を第３の係数値によってスケーリングし、上記ｔＰＳＡ値に対する上記ｆＰＳＡ値の比を第４の係数値によってスケーリングすることで、スケーリングされた値を生成することと、
上記スケーリングされた値を加算することと、
上記スケーリングされた値を少なくとも部分的に基礎として、上記前立腺癌に関連付けられたイベントの確率を決定することと
を含む、請求項１４記載のコンピュータ。
【請求項１６】
上記ロジスティック回帰モデルを評価することは、上記ｔＰＳＡ値の対数を決定することをさらに含み、
上記ｔＰＳＡ値を少なくとも部分的に基礎として、上記前立腺癌に関連付けられたイベントの確率を決定することは、上記ｔＰＳＡ値の対数を少なくとも部分的に基礎として、上記前立腺癌に関連付けられたイベントの確率を決定することを含む、請求項１４記載のコンピュータ。
【請求項１７】
前立腺癌に関連付けられたイベントの確率を決定するための方法であって、
上記方法は、入力インターフェースを介して複数の血液マーカーの情報を受信することを含み、上記複数の血液マーカーの情報は、遊離型前立腺特異抗原（ｆＰＳＡ）値、総ＰＳＡ（ｔＰＳＡ）値、未変化ＰＳＡ（ｉＰＳＡ）値、及びヒトカリクレイン２（ｈＫ２）値を含み、
上記方法は、少なくとも１つのプロセッサを用いて、上記受信された情報を少なくとも部分的に基礎としてロジスティック回帰モデルを評価することで、ある人物の前立腺癌に関連付けられたイベントの確率を決定することを含み、
上記ロジスティック回帰モデルを評価することは、上記ｔＰＳＡ値、上記ｉＰＳＡ値、上記ｈＫ２値、及び上記ｔＰＳＡ値に対する上記ｆＰＳＡ値の比を少なくとも部分的に基礎として、上記前立腺癌に関連付けられたイベントの確率を決定することを含み、
上記方法は、上記前立腺癌に関連付けられたイベントの確率の表示を出力することを含む方法。
【請求項１８】
前立腺癌に関連付けられたイベントの確率を決定するためのコンピュータであって、
上記コンピュータは、複数の血液マーカーの情報を受信するように構成された入力インターフェースを備え、上記複数の血液マーカーの情報は、遊離型前立腺特異抗原（ｆＰＳＡ）値、総ＰＳＡ（ｔＰＳＡ）値、未変化ＰＳＡ（ｉＰＳＡ）値、及びヒトカリクレイン２（ｈＫ２）値を含み、
上記コンピュータは、上記受信された情報を少なくとも部分的に基礎としてロジスティック回帰モデルを評価することで、ある人物の前立腺癌に関連付けられたイベントの確率を決定するようにプログラミングされた少なくとも１つのプロセッサを備え、
上記ロジスティック回帰モデルを評価することは、
上記ｔＰＳＡ値を第１の指数でべき乗することでｔＰＳＡに関する非線形項を決定することと、
上記ｆＰＳＡ値を第２の指数でべき乗することでｆＰＳＡに関する非線形項を決定することと、
上記ｔＰＳＡ値、上記ｆＰＳＡ値、上記ｉＰＳＡ値、上記ｈＫ２値、上記ｔＰＳＡ値に関する非線形項、及び上記ｆＰＳＡ値に関する非線形項を少なくとも部分的に基礎として、上記前立腺癌に関連付けられたイベントの確率を決定すること
を含み、
上記コンピュータは、上記前立腺癌に関連付けられたイベントの確率の表示を出力するように構成された出力インターフェースを備えたコンピュータ。
【請求項１９】
上記前立腺癌に関連付けられたイベントの確率を決定することは、
上記ｔＰＳＡ値を第１の係数値によってスケーリングし、上記ｆＰＳＡ値を第２の係数値によってスケーリングし、上記ｉＰＳＡ値を第３の係数値によってスケーリングし、上記ｈＫ２値を第４の係数値によってスケーリングし、上記ｔＰＳＡに関する非線形項を第５の係数値によってスケーリングし、上記ｆＰＳＡに関する非線形項を第６の係数値によってスケーリングすることで、スケーリングされた値を生成することと、
上記スケーリングされた値を加算することと、
上記スケーリングされた値を少なくとも部分的に基礎として、上記前立腺癌に関連付けられたイベントの確率を決定することと
を含む、請求項１８記載のコンピュータ。
【請求項２０】
上記第１の指数は２であり、上記第２の指数は１／２である、請求項１８記載のコンピュータ。
【請求項２１】
前立腺癌に関連付けられたイベントの確率を決定するための方法であって、
上記方法は、入力インターフェースを介して複数の血液マーカーの情報を受信することを含み、上記複数の血液マーカーの情報は、遊離型前立腺特異抗原（ｆＰＳＡ）値、総ＰＳＡ（ｔＰＳＡ）値、未変化ＰＳＡ（ｉＰＳＡ）値、及びヒトカリクレイン２（ｈＫ２）値を含み、
上記方法は、少なくとも１つのプロセッサを用いて、上記受信された情報を少なくとも部分的に基礎としてロジスティック回帰モデルを評価することで、ある人物の前立腺癌に関連付けられたイベントの確率を決定することを含み、
上記ロジスティック回帰モデルを評価することは、
上記ｔＰＳＡ値を第１の指数でべき乗することでｔＰＳＡに関する非線形項を決定することと、
上記ｆＰＳＡ値を第２の指数でべき乗することでｆＰＳＡに関する非線形項を決定することと、
上記ｔＰＳＡ値、上記ｆＰＳＡ値、上記ｉＰＳＡ値、上記ｈＫ２値、上記ｔＰＳＡ値に関する非線形項、及び上記ｆＰＳＡ値に関する非線形項を少なくとも部分的に基礎として、上記前立腺癌に関連付けられたイベントの確率を決定することと
を含み、
上記方法は、上記前立腺癌に関連付けられたイベントの確率の表示を出力することを含む方法。
【請求項２２】
前立腺癌に関連付けられたイベントの確率を決定するためのコンピュータであって、
上記コンピュータは、複数の血液マーカーの情報を受信するように構成された入力インターフェースを備え、上記複数の血液マーカーの情報は、遊離型前立腺特異抗原（ｆＰＳＡ）値、総ＰＳＡ（ｔＰＳＡ）値、未変化ＰＳＡ（ｉＰＳＡ）値、及びヒトカリクレイン２（ｈＫ２）値を含み、
上記コンピュータは、上記受信された情報を少なくとも部分的に基礎としてロジスティック回帰モデルを評価することで、ある人物の前立腺癌に関連付けられたイベントの確率を決定するようにプログラミングされた少なくとも１つのプロセッサを備え、
上記ロジスティック回帰モデルを評価することは、
ｔＰＳＡに関する線形スプライン項を決定することと、
ｆＰＳＡに関する線形スプライン項を決定することと、
上記受信されたｔＰＳＡ値と、上記ｔＰＳＡに関する決定された線形スプライン項とを少なくとも部分的に基礎として、ｔＰＳＡの第１の値を決定することと、
上記受信されたｆＰＳＡ値と、上記ｆＰＳＡに関する決定された線形スプライン項とを少なくとも部分的に基礎として、ｆＰＳＡの第２の値を決定することと、
上記第１の値及び上記第２の値を少なくとも部分的に基礎として、上記前立腺癌に関連付けられたイベントの確率を決定することと
を含み、
上記コンピュータは、上記前立腺癌に関連付けられたイベントの確率の表示を出力するように構成された出力インターフェースを備えるコンピュータ。
【請求項２３】
上記ｔＰＳＡに関する線形スプライン項は、第１の線形スプライン項及び第２の線形スプライン項を含み、
上記ｆＰＳＡに関する線形スプライン項は、第３の線形スプライン項及び第４の線形スプライン項を含み、
上記第１の値を決定することは、上記受信されたｔＰＳＡ値を第１の係数値によってスケーリングし、上記第１の線形スプライン項を第２の係数値によってスケーリングし、上記第２の線形スプライン項を第３の係数値によってスケーリングすることで、スケーリングされたｔＰＳＡ値を生成することと、上記スケーリングされたｔＰＳＡ値を合計することとを含み、
上記第２の値を決定することは、上記受信されたｆＰＳＡ値を第４の係数によってスケーリングし、上記第３の線形スプライン項を第５の係数値によってスケーリングし、上記第４の線形スプライン項を第６の係数値によってスケーリングすることで、スケーリングされたｆＰＳＡ値を生成することと、上記スケーリングされたｆＰＳＡ値を合計することとを含む、請求項２２記載のコンピュータ。
【請求項２４】
上記ロジスティック回帰モデルを評価することは、
ｉＰＳＡに関する線形スプライン項を決定することと、
ｈＫ２に関する線形スプライン項を決定することと
をさらに含み、
上記前立腺癌に関連付けられたイベントの確率を決定することは、さらに、上記ｉＰＳＡに関する線形スプライン項及び上記ｈＫ２に関する線形スプライン項を少なくとも部分的に基礎とする、請求項２２記載のコンピュータ。
【請求項２５】
前立腺癌に関連付けたイベントの確率を決定するための方法であって、
上記方法は、入力インターフェースを介して複数の血液マーカーの情報を受信することを含み、上記複数の血液マーカーの情報は、遊離型前立腺特異抗原（ｆＰＳＡ）値、総ＰＳＡ（ｔＰＳＡ）値、未変化ＰＳＡ（ｉＰＳＡ）値、及びヒトカリクレイン２（ｈＫ２）値を含み、
上記方法は、少なくとも１つのプロセッサを用いて、上記受信された情報を少なくとも部分的に基礎としてロジスティック回帰モデルを評価することで、ある人物の前立腺癌に関連付けられたイベントの確率を決定することを含み、
上記ロジスティック回帰モデルを評価することは、
ｔＰＳＡに関する線形スプライン項を決定することと、
ｆＰＳＡに関する線形スプライン項を決定することと、
上記受信されたｔＰＳＡ値と、上記ｔＰＳＡに関する決定された線形スプライン項とを少なくとも部分的に基礎として、ｔＰＳＡの第１の値を決定することと、
上記受信されたｆＰＳＡ値と、上記ｆＰＳＡに関する決定された線形スプライン項とを少なくとも部分的に基礎として、ｆＰＳＡの第２の値を決定することと、
上記第１の値及び上記第２の値を少なくとも部分的に基礎として、上記前立腺癌に関連付けられたイベントの確率を決定することと
を含み、
上記方法は、上記前立腺癌に関連付けられたイベントの確率の表示を出力することを含む方法。
【請求項２６】
高悪性度の癌のリスクを決定するためのシステムであって、
上記システムは、複数の血液マーカーの情報を受信するように構成された入力インターフェースを備え、上記複数の血液マーカーの情報は、遊離型前立腺特異抗原（ｆＰＳＡ）値、総ＰＳＡ（ｔＰＳＡ）値、未変化ＰＳＡ（ｉＰＳＡ）値、及び（ｈＫ２）値を含み、
上記システムは、少なくとも１つのプロセッサを備え、
上記少なくとも１つのプロセッサは、上記受信された値をロジスティック回帰モデルへ入力するようにプログラミングされ、少なくとも上記ｔＰＳＡ値及び上記ｆＰＳＡ値は、線形項及び非線形項の両方を用いて、上記ロジスティック回帰モデルに入力され、
上記少なくとも１つのプロセッサは、上記ロジスティック回帰モデルを評価して上記高悪性度の癌のリスクを決定するようにプログラミングされたシステム。
【請求項２７】
上記システムは、上記入力インターフェースと電気的に通信する微小流体サンプルアナライザを備え、
上記微小流体サンプルアナライザは、
筐体と、
上記筐体の開口部であって、少なくとも１つの微小流体チャネルを有するカセットを収容するように構成された開口部と
を備え、
上記筐体は、上記カセット上の嵌合部品とインターフェースをとって上記筐体内の上記カセットを検出するように構成された構成要素を含み、
上記システムは、
上記筐体内に配置された圧力制御システムであって、上記カセットの上記少なくとも１つの微小流体チャネルに加圧して上記少なくとも１つの微小流体チャネルを介してサンプルを移動させるように構成された圧力制御システムと、
上記筐体内に配置された光学系であって、少なくとも１つの光源を含み、上記光源から離隔した少なくとも１つの検出器を含む光学系と
を備え、
上記光源は、上記カセットが上記サンプルアナライザへ挿入されるとき、上記カセットに光が透過するように構成され、
上記検出器は、上記光源の反対側に配置され、上記カセットを透過する光量を検出し、
上記システムは、
少なくともある人物の年齢を入力するための、上記筐体に関連付けられたユーザインターフェースとを備える請求項１記載のシステム。
【請求項２８】
ある人物の前立腺癌に関連付けられたイベントの確率を決定するための方法であって、
上記方法は、微小流体サンプルアナライザを提供することを含み、
上記微小流体サンプルアナライザは、
筐体と、
上記筐体の開口部であって、少なくとも１つの微小流体チャネルを有するカセットを収容するように構成された開口部と
を含み、
上記筐体は、上記カセット上の嵌合部品とインターフェースをとって上記筐体内の上記カセットを検出するように構成された構成要素を含み、
上記微小流体サンプルアナライザは、
上記筐体内に配置された圧力制御システムであって、上記カセットの上記少なくとも１つの微小流体チャネルに加圧して上記少なくとも１つの微小流体チャネルを介してサンプルを移動させるように構成された圧力制御システムと、
上記筐体内に配置された光学系であって、少なくとも１つの光源を含み、上記光源から離隔した少なくとも１つの検出器を含む光学系と
を備え、
上記光源は、上記カセットが上記サンプルアナライザへ挿入されるとき、上記カセットに光が透過するように構成され、
上記検出器は、上記光源の反対側に配置され、上記カセットを透過する光量を検出し、
上記微小流体サンプルアナライザは、少なくともある人物の年齢を入力するための、上記筐体に関連付けられたユーザインターフェースを備え、
上記方法は、上記微小流体サンプルアナライザを用いて複数の血液マーカーの情報を決定することを含み、上記複数の血液マーカーの情報は、遊離型前立腺特異抗原（ｆＰＳＡ）値、総ＰＳＡ（ｔＰＳＡ）値、及び未変化ＰＳＡ（ｉＰＳＡ）値を含み、
上記方法は、少なくとも１つのプロセッサを用いて、上記情報を少なくとも部分的に基礎としてロジスティック回帰モデルを評価することで、ある人物の前立腺癌に関連付けられたイベントの確率を決定することを含み、
上記ロジスティック回帰モデルを評価することは、複数の変数のそれぞれを異なる係数値によってスケーリングし、スケーリングされた変数を生成することと、上記スケーリングされた変数の値を合計したものを用いて、ある人物の前立腺癌に関連付けられたイベントの確率を生成することとを含み、
上記複数の変数は、年齢と、上記検出器から受信された情報に含まれた少なくとも２つの変数とを含み、ｆＰＳＡ、ｉＰＳＡ、及びｔＰＳＡからなるグループから選択される
方法。
【請求項２９】
上記システムは装置及び検出器をさらに備え、
上記装置は、
第１の結合パートナーを備える第１の分析領域と、
第２の結合パートナーを備える第２の分析領域と
を備え、
上記第１の結合パートナーは、遊離型前立腺特異抗原（ｆＰＳＡ）、未変化前立腺特異抗原（ｉＰＳＡ）、及び総ＰＳＡ（ｔＰＳＡ）の少なくとも１つと結合するように適合され、
上記第２の結合パートナーは、ｆＰＳＡ、ｉＰＳＡ、及びｔＰＳＡのうちの少なくとも他の１つと結合するように適合され、
上記検出器は、上記第１及び第２の分析領域に関連付けられ、上記複数の血液マーカーの情報を決定し、
上記装置は、上記複数の血液マーカーの情報を上記少なくとも１つのプロセッサに送るように構成されている請求項１記載のシステム。
【請求項３０】
装置へサンプルを導入することを含む方法であって、
上記装置は、
第１の結合パートナーを備える第１の分析領域と、
第２の結合パートナーを備える第２の分析領域と
を備え、
上記第１の結合パートナーは、遊離型前立腺特異抗原（ｆＰＳＡ）、未変化前立腺特異抗原（ｉＰＳＡ）、及び総ＰＳＡ（ｔＰＳＡ）の少なくとも１つと結合するように適合され、
上記第２の結合パートナーは、ｆＰＳＡ、ｉＰＳＡ、及びｔＰＳＡのうちの少なくとも他の１つと結合するように適合され、
上記方法は、
上記サンプルからのｆＰＳＡ、ｉＰＳＡ、及び／又はｔＰＳＡのうちの任意のものが、上記第１及び第２の分析領域における上記第１及び／又は第２の結合パートナーと結合することを可能にすることと、
上記第１及び第２の分析領域に関連付けられた１つ以上の検出器を用いて、ｆＰＳＡ、ｉＰＳＡ、及び／又はｔＰＳＡの特性を決定することと、
少なくとも１つの検出器から受信された情報を少なくとも部分的に基礎としてロジスティック回帰モデルを評価することで、ある人物の前立腺癌に関連付けられたイベントの確率を決定するようにプログラムされたプロセッサに、上記ｆＰＳＡ、ｉＰＳＡ、及び／又はｔＰＳＡの特性を入力することと
を含み、
上記ロジスティック回帰モデルを評価することは、複数の変数のそれぞれを異なる係数値によってスケーリングし、スケーリングされた変数を生成することと、上記スケーリングされた変数の値を合計したものを用いて、ある人物の前立腺癌に関連付けられたイベントの確率を生成することとを含み、
上記複数の変数は、年齢と、上記検出器から受信された情報に含まれた少なくとも２つの変数とを含み、ｆＰＳＡ、ｉＰＳＡ、及びｔＰＳＡからなるグループから選択され、
上記方法は、上記前立腺癌に関連付けられたイベントの確率を決定することを含む方法。
【請求項３１】
上記システムは、上記入力インターフェースと電気的に通信して上記複数の血液マーカーの情報を上記入力インターフェースに送る微小流体システムを備え、
上記微小流体システムは、
少なくとも１つの入口及び１つの出口を含む第１の微小流体チャネルと、
上記第１の微小流体チャネルに貯蔵された第１の試薬と、
上記第１の微小流体チャネルに上記第１の試薬を貯蔵するように上記第１の微小流体チャネルの入口をカバーする封止及び上記第１の微小流体チャネルの出口をカバーする封止と、
少なくとも１つの入口及び１つの出口を含む第２の微小流体チャネルと
を備え、
上記システムは、抗ｉＰＳＡ特異捕捉抗体、抗ｆＰＳＡ特異捕捉抗体、及び抗ｔＰＳＡ特異捕捉抗体のうちの１つをそれぞれ含む、第１の分析領域、第２の分析領域、及び第３の分析領域を備え、
上記第１、第２、及び第３の分析領域のうちの１つ以上は、上記第２の微小流体チャネルとの間で流体を伝達可能であり、
上記システムは、上記微小流体システムに接続可能な流体コネクタを備え、
上記流体コネクタは、流体経路入口及び流体経路出口を含む流体経路を備え、接続時に、上記流体経路入口は、上記第１の微小流体チャネルの出口に接続して、上記流体経路及び上記第１の微小流体チャネルの間の流体の伝達を可能にし、上記流体経路出口は、上記第２の微小流体チャネルの入口に接続して、上記流体経路及び上記第２の微小流体チャネルの間の流体の伝達を可能にし、
上記第１及び第２の微小流体チャネルは、上記流体コネクタを介する接続をもたず、互いに流体を伝達せず、
上記システムは、抗ＰＳＡに結合する抗体に結合した金属コロイドのソースを備える請求項１記載のシステム。
【請求項３２】
上記第１及び第２の結合パートナーは同一である請求項２９記載のシステム。
【請求項３３】
上記システムは、疾患又は症状の第１のバイオマーカーと特異的に結合するように適合された第３の結合パートナーを備える請求項２９記載のシステム。
【請求項３４】
上記システムは、疾患又は症状の第２のバイオマーカーと特異的に結合するように適合された第４の結合パートナーを備える請求項２９記載のシステム。
【請求項３５】
上記第１及び第２の結合パートナーは異なる請求項２９記載のシステム。
【請求項３６】
上記第１の結合パートナーは、疾患又は症状の第１のバイオマーカーと特異的に結合するように適合された請求項２９記載のシステム。
【請求項３７】
上記第２の結合パートナーは、疾患又は症状の第２のバイオマーカーと特異的に結合するように適合された請求項２９記載のシステム。
【請求項３８】
上記システムは、疾患又は症状の第１及び／又は第２のバイオマーカーに結合する抗体に結合した金属コロイドを備える請求項２９記載のシステム。
【請求項３９】
上記システムは、ｈＫ２と結合するように適合された結合パートナーを備える第３の分析領域を備える請求項２９記載のシステム。
【請求項４０】
上記第１及び第２の分析領域は、
１）複数の別個のカセット上に存在するか、
又は
２）同一のカセットである、
請求項２９記載のシステム。
【請求項４１】
上記第１、第２、及び第３の分析領域のうちの少なくとも２つは、上記第２の微小流体チャネルとの間で流体を伝達可能である請求項３１記載のシステム。
【請求項４２】
上記第１、第２、及び第３の分析領域のそれぞれは、上記第２の微小流体チャネルとの間で流体を伝達可能である請求項３１記載のシステム。
【請求項４３】
上記第１の分析領域は上記第２の微小流体チャネルとの間で流体を伝達可能であり、上記第２の分析領域は第３の微小流体チャネルとの間で流体を伝達可能である請求項３１記載のシステム。
【請求項４４】
上記流体コネクタは、上記微小流体システムへの接続時に、上記第３の微小流体チャネルの入口に接続する請求項４３記載のシステム。
【請求項４５】
上記第３の分析領域は第４の微小流体チャネルとの間で流体を伝達可能である請求項３１記載のシステム。
【請求項４６】
上記流体コネクタは、上記微小流体システムへの接続時に、上記第４の微小流体チャネルの入口に接続する請求項４５記載のシステム。
【請求項４７】
上記第１及び第２の分析領域は異なる基板層に形成される請求項２９記載のシステム。
【請求項４８】
上記第１、第２、及び第３の分析領域は、異なる基板層に形成される請求項３９記載のシステム。
【請求項４９】
第４の分析領域は、上記第１、第２、及び第３の分析領域の少なくとも１つを含む基板層とは異なる基板層に形成される請求項３９記載のシステム。